【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
ファブリック監視システムにおいて、複数のコンピューティング又はネットワーキングシステムを含むエンタープライズシステム内のイベントの発生を識別する情報を受信するステップであって、前記イベントは前記コンピューティング又はネットワーキングシステム内のコンピューティング又はネットワーキング装置に発生し、あるいは関与し、前記イベントは前記ファブリック監視システムによりアクセス可能なルールを用いて識別される、ステップと、
複数のストライプを用いて、前記情報をリアルタイムで処理して前記イベントの発生を識別し、前記イベントを複数の状況に割り当てるステップであって、各ストライプは前記ファブリック監視システムの別個のインスタンスであり、前記イベントは前記ファブリック監視システムの各インスタンスによりアクセス可能な１つ以上の処理モデルを用いて前記状況に割り当てられる、ステップと、
前記ストライプ間で合成イベントを送信して、前記イベント又は状況のクロスストライプ相関をサポートするステップと、
前記状況を識別する情報を出力するステップと、
を含む方法。
【請求項２】
前記ファブリック監視システムの各インスタンスは複数の次元においてスケーラブルであり、１つの次元が前記ファブリック監視システム内で動作するコンピューティングノードの数に関連付けられ、別の次元がストライプの数に関連付けられる、請求項１に記載の方法。
【請求項３】
前記イベント及び状況に関する情報と前記状況が如何にして解決されるかに関する情報とを含む前記イベント及び状況に関連付けられた情報を記憶して、前記イベント及び状況の監査証跡を提供するステップ
をさらに含む請求項１に記載の方法。
【請求項４】
前記ルールを１つ以上のポリシーから取得するステップであって、前記１つ以上のポリシーの少なくとも一部が監視定義言語を用いて少なくとも１のユーザにより定義される、ステップ
をさらに含む請求項１に記載の方法。
【請求項５】
前記１つ以上の処理モデルは、前記イベントをカテゴリ化し、かつ前記状況を識別する方法を定義し、前記１つ以上の処理モデルは、
少なくとも１のユーザにより定義される少なくとも１つのユーザ定義されたモデル、及び、
前記イベントの発生を識別する前記情報を用いて動作する１つ以上の解析機能を定義する少なくとも１つの解析モデル
を含む、請求項１に記載の方法。
【請求項６】
前記複数のストライプの各々による前記状況の識別に応答して、前記合成イベントを作成するステップであって、前記複数のストライプの各ストライプは独立して動作する、ステップ、
をさらに含む請求項１に記載の方法。
【請求項７】
異なるストライプが、
前記コンピューティング又はネットワーキングシステム内の異なる資産、
前記コンピューティング又はネットワーキングシステムが展開される異なる場所、
前記コンピューティング又はネットワーキングシステム内のハードウェア、ソフトウェア、又はファームウェアの異なる展開、
前記コンピューティング又はネットワーキングシステムを用いた異なるビジネスユニット、及び
前記コンピューティング又はネットワーキングシステムを用いて取引されるビジネスの異なるタイプ
のうち少なくとも１つに関連付けられたイベントを処理する、請求項６に記載の方法。
【請求項８】
前記イベントは、
前記コンピューティング又はネットワーキングシステム内の前記コンピューティング又はネットワーキング装置の現在の状態、
前記コンピューティング又はネットワーキングシステム内の前記コンピューティング又はネットワーキング装置の前記現在の状態における変化、
前記コンピューティング又はネットワーキングシステム内の前記コンピューティング又はネットワーキング装置における異常、及び、
前記コンピューティング又はネットワーキングシステム内における定義された条件の発生
のうち少なくとも１つを含む、請求項１に記載の方法。
【請求項９】
前記状況を識別する前記情報を出力するステップは、
前記状況のうち少なくとも１つを識別する情報を、前記少なくとも１つの状況を自動的に解決する自動化されたエージェントに提供するステップ
を含む、請求項１に記載の方法。
【請求項１０】
前記状況を識別する前記情報を取得するステップは、
前記状況のうち少なくとも１つを識別する情報を、要員のための少なくとも１つの通知を生成するチケッティングエージェントに提供するステップであって、前記少なくとも１つの通知は前記少なくとも１つの状況を識別する、ステップ
を含む、請求項１に記載の方法。
【請求項１１】
システムであって、
複数のストライプ、を含み、各ストライプはファブリック監視システムの別個のインスタンスを含み、各ファブリック監視システムは複数のコンピューティングノードと該コンピューティングノードを結合する複数の通信リンクとを含み、前記複数のストライプの各々は、
複数のコンピューティング又はネットワーキングシステムを含むエンタープライズシステム内のイベントの発生を識別する情報を受信することであって、前記イベントは前記コンピューティング又はネットワーキングシステム内のコンピューティング又はネットワーキング装置に発生し、あるいは関与し、前記イベントは前記ファブリック監視システムによりアクセス可能なルールを用いて識別され、
前記情報をリアルタイムで処理して前記イベントの発生を識別し、前記イベントを複数の状況に割り当てることであって、前記イベントは前記ファブリック監視システムによりアクセス可能な１つ以上の処理モデルを用いて前記状況に割り当てられ、
１つ以上の他のストライプに対して合成イベントを生成及び送信して前記イベント又は状況のクロスストライプ相関をサポートし、
前記状況を識別する情報を出力する
ように構成される、システム。
【請求項１２】
前記ファブリック監視システムの各インスタンスは複数の次元においてスケーラブルであり、１つの次元が前記ファブリック監視システム内で動作するコンピューティングノードの数に関連付けられ、別の次元がストライプの数に関連付けられる、請求項１１に記載のシステム。
【請求項１３】
前記ファブリック監視システムの各インスタンスは、前記イベント及び状況に関する情報と前記状況が如何にして解決されるかに関する情報とを含む前記イベント及び状況に関連付けられた情報を記憶して、前記イベント及び状況の監査証跡を提供するようにさらに構成される、請求項１１に記載のシステム。
【請求項１４】
前記ルールを含む１つ以上のポリシーを記憶するように構成されたリポジトリ、をさらに含み、前記１つ以上のポリシーの少なくとも一部が監視定義言語を用いて少なくとも１のユーザにより定義される、請求項１１に記載のシステム。
【請求項１５】
前記１つ以上の処理モデルは、前記イベントをカテゴリ化し、かつ前記状況を識別する方法を定義し、前記１つ以上の処理モデルは、
少なくとも１のユーザにより定義される少なくとも１つのユーザ定義されたモデル、及び、
前記イベントの発生を識別する前記情報を用いて動作する１つ以上の解析機能を定義する少なくとも１つの解析モデル
を含む、請求項１１に記載のシステム。
【請求項１６】
各ストライプは、
前記複数のストライプの各々による前記状況の識別に応答して、前記合成イベントを作成するようにさらに構成され、前記複数のストライプの各ストライプは独立して動作する、
請求項１１に記載のシステム。
【請求項１７】
異なるストライプが、
前記コンピューティング又はネットワーキングシステム内の異なる資産、
前記コンピューティング又はネットワーキングシステムが展開される異なる場所、
前記コンピューティング又はネットワーキングシステム内のハードウェア、ソフトウェア、又はファームウェアの異なる展開、
前記コンピューティング又はネットワーキングシステムを用いた異なるビジネスユニット、及び
前記コンピューティング又はネットワーキングシステムを用いて取引されるビジネスの異なるタイプ
のうち少なくとも１つに関連付けられたイベントを処理するように構成される、請求項１１に記載のシステム。
【請求項１８】
前記イベントは、
前記コンピューティング又はネットワーキングシステム内の前記コンピューティング又はネットワーキング装置の現在の状態、
前記コンピューティング又はネットワーキングシステム内の前記コンピューティング又はネットワーキング装置の前記現在の状態における変化、
前記コンピューティング又はネットワーキングシステム内の前記コンピューティング又はネットワーキング装置における異常、及び、
前記コンピューティング又はネットワーキングシステム内における定義された条件の発生
のうち少なくとも１つを含む、請求項１１に記載のシステム。
【請求項１９】
前記ファブリック監視システムの各インスタンスは、前記状況のうち少なくとも１つを識別する情報を、前記少なくとも１つの状況を自動的に解決する自動化されたエージェントに提供することにより、前記状況を識別する前記情報を出力するように構成される、請求項１１に記載のシステム。
【請求項２０】
前記ファブリック監視システムの各インスタンスは、前記状況のうち少なくとも１つを識別する情報を、要員のための少なくとも１つの通知を生成するチケッティングエージェントに提供することにより、前記状況を識別する前記情報を出力するように構成され、前記少なくとも１つの通知は前記少なくとも１つの状況を識別する、請求項１１に記載のシステム。
【請求項２１】
各ストライプは、該ストライプによる状況の識別に対して前記合成イベントのうち少なくともいくつかを生成するように構成される、請求項１７に記載のシステム。
【請求項２２】
各ストライプがファブリック監視システムの別個のインスタンスを含む複数のストライプのコンピューティングノードに、
複数のコンピューティング又はネットワーキングシステムを含むエンタープライズシステム内のイベントの発生を識別する情報を受信することであって、前記イベントは前記コンピューティング又はネットワーキングシステム内のコンピューティング又はネットワーキング装置に発生し、あるいは関与し、前記イベントは前記ファブリック監視システムによりアクセス可能なルールを用いて識別される、ことと、
前記情報をリアルタイムで処理して前記イベントの発生を識別し、前記イベントを複数の状況に割り当てることであって、前記イベントは前記ファブリック監視システムによりアクセス可能な１つ以上の処理モデルを用いて前記状況に割り当てられる、ことと、
１つ以上の他のストライプに対して合成イベントを生成及び送信して前記イベント又は状況のクロスストライプ相関をサポートすることと、
前記状況を識別する情報を出力することと、
をさせる、コンピュータプログラム。